(57)【要約】【課題】青色光源の利用により高い光利用効率でカラー表示でき、視野角色表示特性に優れた液晶表示装置を提供すること。【解決手段】青色光を発光する青色光源と、液晶セル及び前記液晶セルを挟持する一対の偏向板を有する液晶素子と、前記青色光により励起されて赤色の蛍光を発する蛍光体、及び、前記青色光により励起されて緑色の蛍光を発する蛍光体を有するカラーフィルターと、少なくとも前記青色光を散乱させる光散乱フィルムとを含むことを特徴とする液晶表示装置である。【選択図】図１
2009244383.tif 000002
【特許請求の範囲】
【請求項１】
青色光を発光する青色光源と、
液晶セル及び前記液晶セルを挟持する一対の偏向板を有する液晶素子と、
前記青色光により励起されて赤色の蛍光を発する蛍光体、及び、前記青色光により励起されて緑色の蛍光を発する蛍光体を有するカラーフィルターと、
少なくとも前記青色光を散乱させる光散乱フィルムとを含むことを特徴とする液晶表示装置。
【請求項２】
青色光源と、液晶素子と、カラーフィルターと、光散乱フィルムとが、この順に配されてなる請求項１に記載の液晶表示装置。
【請求項３】
光散乱フィルムが、支持体と、前記支持体上に、少なくとも１種の光散乱粒子及び透光性樹脂を有する層とを含む請求項１から２のいずれかに記載の液晶表示装置。
【請求項４】
光散乱フィルムにおける波長４３５ｎｍ及び５４５ｎｍでの光透過率を、それぞれＴ４３５及びＴ５４５としたとき、下記（１）式を満たす請求項３に記載の液晶表示装置。
０．２０＜Ｔ４３５／Ｔ５４５＜１．２５            ・・・（１）
【請求項５】
カラーフィルターにおける、液晶素子の青色表示画素に対応する領域が、透明の部材及び青色以外の光を遮断するフィルターのいずれかである請求項１から４のいずれかに記載の液晶表示装置。
【請求項６】
カラーフィルターにおける、液晶素子の青色表示画素、赤色表示画素及び緑色表示画素の少なくともいずれかに対応する領域が、それぞれの表示画素に対応する色の顔料を含む請求項１から５のいずれかに記載の液晶表示装置。
【発明の詳細な説明】
【技術分野】
【０００１】
本発明は、青色光源の利用により高い光利用効率でカラー表示でき、視野角色表示特性に優れた液晶表示装置に関する。
【背景技術】
【０００２】
液晶ディスプレイ（ＬＣＤ）、プラズマディスプレイパネル（ＰＤＰ）、ＣＲＴ、ＥＬ等に代表される画像表示装置は、テレビやコンピュータをはじめとして様々な分野で使用されており、目覚しい発展を遂げている。特にＬＣＤは薄く、軽量で、かつ汎用性に富むディスプレイとして、薄型テレビや携帯電話、パーソナルコンピュータ、デジタルカメラ、ＰＤＡ、その他各種デバイス用の表示媒体として普及が著しい。
ＬＣＤの表示形式としては、ＴＮモード、ＶＡモード、ＩＰＳモード、ＯＣＢモード等の表示装置が開発されてきた。これらの液晶表示装置に表示形式は、液晶の配向形態が異なっており、それぞれの液晶の配向形態に特有の画像表示特性を示す。
【０００３】
液晶表示装置は、一般に、青色、赤色、緑色の３原色からなる表示画素を、加色混合することにより、カラー表示している。従来、液晶表示装置は、青色、赤色、緑色をそれぞれ選択的に透過させるカラーフィルターと、白色光源とを用いて、３原色を表示する構成であった。
しかしながら、白色光源を用いると、カラーフィルターによりカットされる波長が多く、光利用効率が悪いという問題があった。
【０００４】
そこで、青色光を発光する青色光源と、前記青色光により励起されて赤色の蛍光を発する蛍光体、及び、前記青色光により励起されて緑色の蛍光を発する蛍光体を有するカラーフィルターとを用いる構成が提案されている（例えば、特許文献１、２参照）。前記構成によれば、青色表示画素として青色光源から発光した青色光をそのまま利用できるので、光利用効率を高くすることができる。
しかしながら、青色光源を用いた液晶表示装置においては、表示画像を斜めから見たときに黄色味に色づき、視野角色表示特性が低下するという問題があった。
【０００５】
したがって、青色光源の利用により高い光利用効率でカラー表示でき、視野角色表示特性に優れた液晶表示装置は、未だ満足なものが提供されていないのが現状である。
【０００６】
【特許文献１】特開２０００−１３１６８３号公報
【特許文献２】特開２００６−３０９２２５号公報
【発明の開示】
【発明が解決しようとする課題】
【０００７】
本発明は、従来における前記問題を解決し、以下の目的を達成することを課題とする。即ち、本発明は、青色光源の利用により高い光利用効率でカラー表示でき、視野角色表示特性に優れた液晶表示装置を提供することを目的とする。
【課題を解決するための手段】
【０００８】
前記課題を解決するために、本発明者らは鋭意研究した結果、以下のような知見を得た。即ち、青色光源を用いた液晶表示装置において、表示画像を斜めから見たときに黄色味に色づく原因は、カラーフィルターにおいて蛍光により発光した赤色光及び緑色光と、カラーフィルターにおいて透過した青色光との、指向性が異なることによること；液晶表示装置において、少なくとも青色光を散乱させる光散乱フィルムを設けることにより、前記赤色光及び緑色光と、青色光との指向性の違いが解消されること；を知見した。
【０００９】
本発明は、本発明者らによる前記知見に基づくものであり、前記課題を解決するための手段としては、以下の通りである。即ち、
＜１＞  青色光を発光する青色光源と、
液晶セル及び前記液晶セルを挟持する一対の偏向板を有する液晶素子と、
前記青色光により励起されて赤色の蛍光を発する蛍光体、及び、前記青色光により励起されて緑色の蛍光を発する蛍光体を有するカラーフィルターと、
少なくとも前記青色光を散乱させる光散乱フィルムとを含むことを特徴とする液晶表示装置である。
＜２＞  青色光源と、液晶素子と、カラーフィルターと、光散乱フィルムとが、この順に配されてなる＜１＞に記載の液晶表示装置である。
＜３＞  光散乱フィルムが、支持体と、前記支持体上に、少なくとも１種の光散乱粒子及び透光性樹脂を有する層とを含む＜１＞から＜２＞のいずれかに記載の液晶表示装置である。
＜４＞  光散乱フィルムにおける波長４３５ｎｍ及び５４５ｎｍでの光透過率を、それぞれＴ４３５及びＴ５４５としたとき、下記（１）式を満たす＜３＞に記載の液晶表示装置である。
０．２０＜Ｔ４３５／Ｔ５４５＜１．２５                ・・・（１）
＜５＞  カラーフィルターの青色表示画素に対応する部分が、透明の部材、及び、青色以外の光を遮断するフィルターのうちいずれかである＜１＞から＜４＞のいずれかに記載の液晶表示装置である。
＜６＞  カラーフィルターの青色表示画素、赤色表示画素及び緑色表示画素の少なくともいずれかに対応する部分が、それぞれの表示画素に対応する色の顔料を含む＜１＞から＜５＞のいずれかに記載の液晶表示装置である。
【発明の効果】
【００１０】
本発明によると、青色光源の利用により高い光利用効率でカラー表示でき、視野角色表示特性に優れた液晶表示装置を提供できる。
【発明を実施するための最良の形態】
【００１１】
（液晶表示装置）
本発明の液晶表示装置は、青色光源と、液晶素子と、カラーフィルターと、光散乱フィルムとを含み、更に必要に応じてその他の構成を含んでなる。
【００１２】
＜青色光源＞
前記青色光源は、青色光を発光する光源である。
前記青色光源の発光ピーク波長としては、特に制限はなく、目的に応じて適宜選択することができるが、波長４００〜５００ｎｍが好ましく、４３０〜４８０ｎｍがより好ましい。液晶素子に使用される偏向板には偏向膜を保護するために紫外線吸収剤が添加されることがあり、前記発光ピーク波長が４００ｎｍ未満であると、前記紫外線吸収剤により大部分の光が吸収されてしまい、光利用効率が低下することがある。前記ピーク波長が５００ｎｍを超えると、そのまま青色表示に利用できないことがある。
【００１３】
前記青色光源としては、特に制限はなく、例えば、ＬＥＤ（Ｌｉｇｈｔ  Ｅｍｉｔｔｉｎｇ  Ｄｉｏｄｅｓ）、蛍光ランプ（冷陰極管、熱陰極管等）などが挙げられる。
前記蛍光ランプに使用する蛍光体としては、例えば、Ｓｒ１０（ＰＯ４）６Ｃｌ：Ｅｕ２＋、（Ｓｒ，Ｃａ）１０（ＰＯ４）６Ｃｌ：Ｅｕ２＋、（Ｓｒ，Ｃａ）１０（ＰＯ４）６Ｃｌ・ｎＢ２Ｏ３：Ｅｕ２＋等のハロ酸リン塩蛍光体、Ｓｒ２Ｐ２Ｏ７：Ｅｕ２＋等のリン酸塩蛍光体、（Ｓｒ，Ｂａ）Ａｌ２Ｓｉ２Ｏ８：Ｅｕ２＋、Ｂａ２ＭｇＳｉ２Ｏ８：Ｅｕ２＋等のケイ酸塩蛍光体、ＣａＷＯ４等のタングステン酸塩蛍光体、ＢａＭｇ２Ａｌ１６Ｏ２７：Ｅｕ２＋、ＳｒＭｇ２Ａｌ１０Ｏ１７：Ｅｕ２＋等のアルミン酸塩蛍光体などが挙げられる。
前記蛍光体は、１種単独で使用してもよく、２種類以上を併用してもよい。
【００１４】
前記青色光源は、発光する光をそのまま青色表示に用いることができ、紫外線を含まないので、前記液晶表示装置の光源として使用したときに、白色光源に比べて光利用効率を上げることができる。前記青色光源は、発光する光の波長が短いので、赤色及び緑色の蛍光を発するための励起光として好適に利用できる。即ち、青色光源を用いることで、高い光利用効率で、ＲＧＢの３原色を画面に表示することができる。
【００１５】
＜液晶素子＞
前記液晶素子は、液晶セル及び前記液晶セルを挟持する一対の偏向板を有する。
前記液晶セルは、２枚の電極基板の間に液晶を担持している。更に、液晶セルと一方の偏光板との間に、光学異方性層が一枚配置されるか、又は、液晶セルと双方の偏光板との間に、光学異方性層が２枚配置されることもある。
前記液晶素子は、前記青色光源から発光する青色光を選択的に透過させる、光シャッターとしての機能を有する。
前記液晶素子においては、一般に、青色表示画素、赤色表示画素及び緑色表示画素が交互に配され、各色表示画素において別々に、青色光の透過／遮断が制御される。
前記各表示画素を交互に配列する方法としては、特に制限はなく、公知の配列方法の中から、目的に応じて適宜選択することができる。
前記液晶セルの種類としては、特に制限はなく、目的に応じて適宜選択することができ、例えば、ＴＮモード、ＶＡモード、ＯＣＢモード、ＩＰＳモード、ＥＣＢモードなどが挙げられる。
【００１６】
＜カラーフィルター＞
前記カラーフィルターは、前記青色光により励起されて赤色の蛍光を発する蛍光体、及び、前記青色光により励起されて緑色の蛍光を発する蛍光体を有する。
前記赤色の蛍光ピーク波長としては、特に制限はなく、目的に応じて適宜選択することができるが、波長６００〜７００ｎｍが好ましく、６２０〜６８０ｎｍがより好ましい。
前記緑色の蛍光ピーク波長としては、特に制限はなく、目的に応じて適宜選択することができるが、波長５００〜６００ｎｍが好ましく、５２０〜５８０ｎｍがより好ましい。
【００１７】
前記カラーフィルターは、表示画素毎に、その色に対応するフィルター（蛍光体を含む）が透明基材上にパターニングされることで形成される。
前記透明基材の材料としては、可視光を透過することができる限り、特に制限はなく、公知のものの中から目的に応じて選択することができ、例えば、ガラス板、樹脂板、樹脂フィルムなどが挙げられる。また、液晶パネルの積層構造のうち、カラーフィルターを形成する位置により、偏光板の部材、液晶セルのガラス基板、光散乱フィルムなどを前記透明基材として兼用し、その表面にフィルターをパターニングする構成も好ましく用いることができる。
【００１８】
前記カラーフィルターにおける、前記液晶素子の赤色表示画素に対応する領域には、青色光により励起されて、赤色の蛍光を発する赤色用蛍光体がパターニングされる。
前記カラーフィルターにおける、前記液晶素子の緑色表示画素に対応する領域には、青色光により励起されて、緑色の蛍光を発する緑色用蛍光体がパターニングされる。
前記カラーフィルターにおける、前記液晶素子の青色表示画素に対応する領域には、透明の部材及び青色以外の光を遮断するフィルターのいずれかがパターニングされる。
また、蛍光体により発する蛍光は拡散光であるので、異なる色の画素に対応する領域に光が漏れることがないように、異なる画素に対応するフィルターとの境に、可視光を吸収するブラックマトリクスを形成してもよい。
【００１９】
前記蛍光体としては、青色光を励起光として、赤色又は緑色の蛍光を発することができる限り、特に制限はなく、目的に応じて適宜選択することができるが、例えば、蛍光顔料；レーザー色素のような有機系の蛍光色素；などが挙げられる。
【００２０】
前記赤色用蛍光体としては、例えば、ＣａＳ：Ｅｕ２＋、ＣａＳｉＮ２：Ｅｕ２＋、Ｓｒ２Ｓｉ５Ｎ８：Ｅｕ２＋、（Ｓｒ，Ｃａ）２ＳｉＯ４：Ｅｕ２＋、ＣａＡｌＳｉＮ３：Ｅｕ２＋等の無機蛍光体、ローダミンＢ、ベーシックレッド２等のローダミン系色素、４−ジシアノメチレン−２−メチル−６−（ｐ−ジメチルアミノスチルリン）−４Ｈビラン等のシアニン系色素、１−エチル−２−［４−（ｐ−ジメチルアミノフェニル）−１，３−ブタジエニル］−ピリジウム−パーコラレイト等のピリジン系色素、オキサジン系色素等の有機蛍光体などが挙げられる。
【００２１】
前記緑色用蛍光体としては、例えば、ＳｒＣａ２Ｓ４：Ｅｕ２＋、（Ｂａ，Ｓｒ）２ＳＯ４：Ｅｕ２＋、Ｙ３Ａｌ５Ｏ１２：Ｃｅ３＋、ベータサイアロン（β−ｓｉａｌｏｎ：Ｅｕ２＋）等の無機蛍光体、（３−２’−ベンゾチアゾイル）−ジエチルアミノクマリン、２，３，５，６−１Ｈ，４Ｈ−テトラヒドロ−８−トリフルオロメチルキノリジン（９，９ｓ，１−ｇｈ）クマリン、（３−２’−ベンゾチアゾイル）−７−Ｎ，Ｎ−ジエチルアミノクマリン等のクマリン色素やクマリン色素系染料であるベーシックイエロー５１等の有機蛍光体などが挙げられる。
前記蛍光体は、１種単独で使用してもよく、２種類以上を併用してもよい。
【００２２】
前記透明の部材及び前記青色以外の光を遮断するフィルターとしては、少なくとも青色光を透過させることができる限り、特に制限はなく、公知のものの中から適宜選択することができる。前記透明の部材としては、例えば、前記透明基材と同様の部材を用いてもよく、前記透明基材により兼用されていてもよい。
【００２３】
また、赤色光及び緑色光の色純度を高めるために、赤色用蛍光体及び緑色蛍光体にそれぞれ赤色及び緑色の顔料を含む構成としたり、赤色又は緑色以外の波長光を遮断するフィルターを積層したりしてもよい。
同様に、前記透明の部材及び前記青色以外の光を遮断するフィルターを透過した青色光の色純度を高めるために、前記透明の部材及び前記青色以外の光を遮断するフィルターに青色の顔料を含む構成としてもよい。
【００２４】
前記パターニングする方法としては、特に制限はなく、例えば、蛍光材料をインク基材に練りこんだインクを使用する印刷法；蛍光色素を液状のレジスト中に分散させ、これをスピンコート法などにより成膜したのちフォトリソグラフィ法でパターニングする方法；などが挙げられる。
【００２５】
前記カラーフィルターは、青色表示画素に対応する領域において青色光を透過し、赤色表示画素に対応する領域において赤色用蛍光体が青色光により励起されて赤色の蛍光を発し、緑色表示画素に対応する領域において緑色用蛍光体が青色光により励起されて緑色の蛍光を発するので、青色光源から発光した青色光を、高い光利用効率で３原色に変換することができる。
【００２６】
＜光散乱フィルム＞
前記光散乱フィルムは、少なくとも前記青色光を散乱させる光散乱フィルムである。
前記光散乱フィルムは、支持体と、前記支持体上に、少なくとも１種の光散乱粒子（以下、透光性粒子と言うことがある。）及び透光性樹脂を有する層（以下、光散乱層ということがある）とを含み、必要に応じて、ハードコート層、高屈折率層、中屈折率層、低屈折率層、帯電防止層、防湿層、ガスバリア層などの、その他の層を含む。
【００２７】
〔光散乱フィルムの光学特性〕
以下に、前記光散乱フィルムの好適な光学特性を示す。
なお、光散乱フィルムの光学特性は、前記光散乱層の構成により規定されるものである。前記光散乱層の詳細な構成については、後記する。
【００２８】
前記光散乱フィルムは、特に短波長の青色光を効率的に散乱することが好ましい。
前記光散乱フィルムは、波長４３５ｎｍ及び５４５ｎｍでの光透過率を、それぞれＴ４３５及びＴ５４５としたとき、下記（１）式を満たすことが好ましく、下記（２）式を満たすことがより好ましく、下記（３）式を満たすことが更に好ましい。
０．２０＜Ｔ４３５／Ｔ５４５＜１．２５        ・・・・（１）
０．２０＜Ｔ４３５／Ｔ５４５＜０．８５        ・・・・（２）
０．２０＜Ｔ４３５／Ｔ５４５＜０．６０        ・・・・（３）
【００２９】
前記（Ｔ４３５／Ｔ５４５）の値が、０．２０以下であると、相対的に青色光を過度に散乱させることにより、正面透過光が黄〜赤色味を帯びることがある。前記（Ｔ４３５／Ｔ５４５）の値が、１．２５以上であると、青色光の散乱が不足し、斜め視野での色味の改善効果が不足することがある。
【００３０】
光散乱の機能は、光散乱粒子と透光性樹脂との屈折率の差によって得られる。本発明における光散乱の効果は、（イ）光散乱粒子の方が透光性樹脂よりも屈折率が大きい場合、（ロ）透光性樹脂の方が光散乱粒子よりも屈折率が大きい場合、のいずれにおいても得ることができる。屈折率の差は、波長５４５ｎｍにおいて、０．０２〜０．１５が好ましく、０．０３〜０．１３がより好ましい。
【００３１】
屈折率の波長に対する依存性を波長分散といい、屈折率の波長依存性が小さいとき屈折率の波長依存性が小さいとき屈折率の波長分散が小さいという。一般に、光散乱粒子や透光性樹脂に用いられる物質の屈折率の波長分散には、短波長になるに従って大きくなる傾向があるが、その程度は物質の種類により異なる。本発明の構成においては、特に短波長の青色光を散乱させることが効果的であり、前述のように、光散乱フィルムとして（１）式を満たすことが好ましい。これを満足するための手段としては、光散乱粒子及び透光性樹脂の２者について、下記（ａ）又は（ｂ）の手段を単独で又は併用して用いることが好ましい。
（ａ）屈折率が小さい方を構成する物質として、波長分散がより平坦に近いものを選択する。
（ｂ）屈折率の大きい方を構成する物質として、波長分散がより急峻であるものを選択する。
【００３２】
〔光散乱フィルムの構成〕
以下に光散乱フィルムを構成する各要素について詳述する。
−光散乱層−
前記光散乱層は、少なくとも１種の光散乱粒子及び透光性樹脂を有し、必要に応じて、無機フィラー、光重合開始剤、面状改良剤、塗布溶媒などのその他の成分を含む。
【００３３】
前記透光性樹脂は、前記光散乱粒子との関係で、屈折率について前記（イ）又は（ロ）の関係を満たす限り、特に制限はなく、目的に応じて適宜選択することができる。
【００３４】
後記の光散乱粒子を用いた場合に前記（イ）の関係を満たす、即ち、光散乱粒子よりも屈折率が小さい透光性樹脂としては、例えば、熱可塑性樹脂、熱硬化性樹脂、電離放射線硬化型樹脂などが挙げられる。
【００３５】
前記熱可塑性樹脂としては、例えば、ポリメチルメタクリレート（ＰＭＭＡ）、ポリエチレン（ＰＥ）、ポリプロピレン（ＰＰ）、ポリビニルアルコール（ＰＶＡ）、ポリ塩化ビニル（ＰＶＣ）、シクロオレフィンコポリマー（ＣＯＣ）、含ノルボルネン樹脂、ポリエーテルスルホンなどが挙げられる。前記熱可塑性樹脂は、１種単独で使用してもよく、２種類以上を併用してもよい。
【００３６】
前記熱硬化型樹脂としては、フラン樹脂、ケトン・ホルムアルデヒド樹脂、ユリア樹脂、アニリン樹脂、アルキド樹脂、不飽和ポリエステル樹脂、エポキシ樹脂などが挙げられる。
前記熱硬化型樹脂は、１種単独で使用してもよく、２種類以上を併用してもよい。
【００３７】
前記電離放射線硬化型樹脂としては、硬化膜の硬度上昇の点から、多官能モノマー及び多官能オリゴマーが好ましい。前記電離放射線硬化型樹脂に含まれる重合性官能基としては、光重合性、電子線重合性、放射線重合性のものが好ましく、中でも光重合性官能基が好ましい。光重合性官能基としては、（メタ）アクリロイル基、ビニル基、スチリル基、アリル基等の不飽和の重合性官能基等が挙げられ、中でも、（メタ）アクリロイル基が好ましい。
【００３８】
光重合性である２個以上のエチレン性不飽和基を有するモノマーとしては、例えば、多価アルコールと（メタ）アクリル酸とのエステル｛例えば、エチレングリコールジ（メタ）アクリレート、１，４−ジクロヘキサンジアクリレート、ペンタエリスリトールテトラ（メタ）アクリレート、ペンタエリスリトールトリ（メタ）アクリレート、トリメチロールプロパントリ（メタ）アクリレート、トリメチロールエタントリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、１，３，５−シクロヘキサントリオールトリメタクリレート、ポリウレタンポリアクリレート、ポリエステルポリアクリレートなど｝、ビニルスルホン（例えばジビニルスルホンなど）、アクリルアミド（例えば、メチレンビスアクリルアミドなど）などが挙げられる。中でも、膜硬度、即ち耐擦傷性の観点から、少なくとも３つの官能基を有するアクリレート又はメタアクリレートモノマーが好ましく、少なくとも５つの官能基を有するアクリレートモノマーがより好ましい。また、市販されているジペンタエリスリトールペンタアクリレートとジペンタエリスリトールヘキサアクリレートの混合物が特に好ましい。
【００３９】
また、アクリロイル基がウレタン結合を介して導入されている多官能モノマーが、屈折率の波長分散が大きい点で、特に好ましい。前記アクリロイル基がウレタン結合を介して導入されている多官能モノマーの市販品としては、ダイセルサイテック（株）の“Ｅｂｅｃｒｙｌ”シリーズの脂肪族ウレタンアクリレート、芳香族ウレタンアクリレートなどが挙げられる。
【００４０】
上記の重合性不飽和基を有するモノマーの代わりに、又は該重合性不飽和基を有するモノマーに加えて、架橋性官能基をバインダーに導入してもよい。前記架橋性官能基としては、例えば、イソシアナート基、エポキシ基、アジリジン基、オキサゾリン基、アルデヒド基、カルボニル基、ヒドラジン基、カルボキシル基、メチロール基及び活性メチレン基などが挙げられる。他にも、前記架橋性官能基としては、ビニルスルホン酸、酸無水物、シアノアクリレート誘導体、メラミン、エーテル化メチロール、エステル及びウレタン、テトラメトキシシランのような金属アルコキシドも利用できる。また、前記架橋性官能基としては、ブロックイソシアナート基のように、分解反応の結果として架橋性を示す官能基を用いてもよい。即ち、前記架橋性官能基としては、すぐには反応を示すものではなくとも、分解した結果反応性を示すものであってもよい。前記架橋性官能基を有するバインダーは、塗布後に加熱することによって、架橋構造を形成することができる。
【００４１】
前記透光性樹脂のうち、前記（１）式を満足する前記（ａ）の手段として、構成する化合物に芳香族基を含まないものを使用すると、透光性樹脂の波長分散がより平坦化して好ましい。特に好ましい例として、（メタ）アクリル酸、（メタ）アクリル酸メチルなどの汎用重合性モノマー、ジペンタエリスリトールヘキサアクリレート（ＤＰＨＡ）、ペンタエリスリトールテトラアクリレート、ペンタエリスリトールトリアクリレートなどの光重合性の多官能モノマーが挙げられる。
【００４２】
後記の光散乱粒子を用いた場合に前記（ロ）の関係を満たす、即ち、光散乱粒子よりも屈折率が大きい透光性樹脂としては、例えば、前記の熱可塑性樹脂、熱硬化性樹脂、電離放射線硬化型樹脂に、高屈折率を有するモノマーを共重合する、又は、高屈折率を有する金属酸化物超微粒子を混合する、ことによって形成することができる。
【００４３】
前記高屈折率を有するモノマーとしては、例えば、ビス（４−メタクリロイルチオフェニル）スルフィド、ビニルナフタレン、ビニルフェニルスルフィド及び４−メタクリロキシフェニル−４’−メトキシフェニルチオエーテルが挙げられる。
【００４４】
前記高屈折率を有する金属酸化物超微粒子としては、例えば、粒径が１００ｎｍ以下であることが好ましく、５０ｎｍ以下であることがさらに好ましい。金属酸化物に用いる金属としては、ジルコニウム、チタン、アルミニウム、インジウム、亜鉛、錫又はアンチモンが好ましい。金属酸化物としては、例えば、ＺｒＯ２、ＴｉＯ２、Ａｌ２Ｏ３、Ｉｎ２Ｏ３、ＺｎＯ、ＳｎＯ２、Ｓｂ２Ｏ３、ＩＴＯなどが挙げられ、中でも、ＺｒＯ２が特に好ましい。前記金属酸化物超微粒子の添加量としては、特に制限はなく、目的に応じて適宜選択することができるが、透光性樹脂の１０〜９０質量％が好ましく、２０〜８０質量％がより好ましい。
【００４５】
前記透光性樹脂のうち、前記（１）式を満足する前記（ｂ）の手段として、構成する化合物に芳香族基を含むものを使用する、又は、芳香族基を含まないものと併用すると、透光性樹脂の波長分散がより急峻となる、即ち、短波長でより大きくなるので好ましい。
【００４６】
構成する化合物に芳香族基を有する熱可塑性樹脂としては、例えば、ポリエチレンテレフタレート（ＰＥＴ）、ポリエチレンナフタレート（ＰＥＮ）、ポリカーボネート（ＰＣ）、フェノール樹脂、フラン樹脂、キシレン・ホルムアルデヒド樹脂、メラミン樹脂、アニリン樹脂、芳香族基を有するエポキシ樹脂などが挙げられる。また、メラミン樹脂の原料であるメチロールメラミンやそのアルコール変性体と、分子内に水酸基を複数個含有する化合物との縮合物からなる樹脂は、両者の混合比や水酸基を有する化合物の選択の幅が広くできる点で好ましい。前記構成する化合物に芳香族基を有する熱可塑性樹脂は、１種単独で使用してもよく、２種類以上を併用してもよい。
【００４７】
光重合性であるエチレン性不飽和基を有するモノマーのうち、構成する化合物に芳香族基を有するものとしては、例えば、ビニルベンゼンの誘導体（例えば、ビニルベンゼン、ｐ−ターシャリーブチルビニルベンゼン、１，４−ジビニルベンゼン、４−ビニル安息香酸−２−アクリロイルエチルエステル、１，４−ジビニルシクロヘキサノンなど）、芳香族基を有する（メタ）アクリレート誘導体（フェニル（メタ）アクリレート、ベンジル（メタ）アクリレート等）などが挙げられる。また、特にアクリロイル基がウレタン結合を介して導入されている芳香族基含有多官能モノマーは、屈折率の波長分散が大きく好ましい。市販されている化合物としては、“Ｅｂｅｃｒｙｌ−２０４”、“Ｅｂｅｃｒｙｌ−２０５”、“Ｅｂｅｃｒｙｌ−２１０”、“Ｅｂｅｃｒｙｌ−２１５”、“Ｅｂｅｃｒｙｌ−２２０”、“Ｅｂｅｃｒｙｌ−６２０２”、“ＫＲＭ８０９８”、（以上ダイセルサイテック株式会社製）などが挙げられる。
【００４８】
−−光散乱粒子−−
前記光散乱粒子としては、前記透光性樹脂との関係で、屈折率について前記（イ）又は前記（ロ）の関係を満たす限り、特に制限はなく、目的に応じて適宜選択することができる。前記光散乱粒子としては、例えば、以下の汎用の有機微粒子又は無機微粒子を使用することができる。
【００４９】
前記有機微粒子としては、例えば、ポリメチルメタクリレートビーズ（屈折率１．４９）、アクリル−スチレン共重合体ビーズ（屈折率１．５４）、メラミンホルムアルデヒドビーズ（屈折率１．６５）、ポリカーボネートビーズ（屈折率１．５７）、スチレンビーズ（屈折率１．６０）、架橋ポリスチレンビーズ（屈折率１．６１）、ポリ塩化ビニルビーズ（屈折率１．６０）、ベンゾグアナミン−メラミンホルムアルデヒドビーズ（屈折率１．６８）などが挙げられる。
【００５０】
前記無機微粒子としては、例えば、シリカビーズ（屈折率１．５１）、アルミナビーズ（屈折率１．６３）等が挙げられる。
【００５１】
前記光散乱粒子は、１種単独で使用してもよく、２種類以上を併用してもよい。透光性粒子を併用する場合には、少なくとも１種以上の粒子は光散乱に主として寄与するが、その他の粒子は散乱に寄与せずともよい。
【００５２】
適度な散乱性を得るための光散乱粒子の粒径としては、０．５〜６．０μｍが好ましく、０．６〜５．０μｍがより好ましく、０．７〜４．０μｍが特に好ましい。
前記光散乱粒子の形状としては、特に制限はなく、球状、扁平状、紡錘状等様々な形状をとることができるが、中でも、球状が好ましい。
【００５３】
光散乱粒子の添加量としては、特に制限はなく、目的に応じて適宜選択することができるが、透光性樹脂１００質量部に対して５〜３０質量部含有させるとよい。
【００５４】
−−無機フィラー−−
上記のような透光性微粒子の場合には、樹脂組成物（透光性樹脂）中で透光性微粒子が沈降し易いので、沈降防止のためにシリカ等の無機フィラーを添加してもよい。なお、無機フィラーは添加量が増す程、透光性微粒子の沈降防止に有効であるが、塗膜の透明性に悪影響を与える。従って、好ましくは、粒径０．５μｍ以下の無機フィラーを、透光性樹脂に対して塗膜の透明性を損なわない程度に、０．１質量％未満含有させるとよい。
【００５５】
−−光重合開始剤−−
支持体上のいずれかの層を作製するのに用いる塗布液としては、光照射により透光性樹脂を硬化するための光重合開始剤を含むことが好ましく、光ラジカル重合開始剤を含むことがより好ましい。
前記光ラジカル重合開始剤としては、例えば、アセトフェノン類、ベンゾイン類、ベンゾフェノン類、ホスフィンオキシド類、ケタール類、アントラキノン類、チオキサントン類、アゾ化合物、過酸化物類（特開２００１−１３９６６３号公報等）、２，３−ジアルキルジオン化合物類、ジスルフィド化合物類、フルオロアミン化合物類、芳香族スルホニウム類、ロフィンダイマー類、オニウム塩類、ボレート塩類、活性エステル類、活性ハロゲン類、無機錯体、クマリン類などが挙げられる。
【００５６】
前記重合開始剤は、１種単独で使用してもよく、２種類以上を併用してもよい。また、「最新ＵＶ硬化技術」，（株）技術情報協会，１９９１年，ｐ．１５９、及び、「紫外線硬化システム」加藤清視著、平成元年、総合技術センター発行、ｐ．６５〜１４８にも種々の例が記載されており、これらを好適に利用できる。
【００５７】
市販の光ラジカル重合開始剤としては、例えば、日本化薬（株）製の「カヤキュアー（ＤＥＴＸ−Ｓ，ＢＰ−１００，ＢＤＭＫ，ＣＴＸ，ＢＭＳ，２−ＥＡＱ，ＡＢＱ，ＣＰＴＸ，ＥＰＤ，ＩＴＸ，ＱＴＸ，ＢＴＣ，ＭＣＡなど）」、チバ・スペシャルティ・ケミカルズ（株）製の「イルガキュア（６５１，１８４，５００，８１９，９０７，３６９，１１７３，１８７０，２９５９，４２６５，４２６３など）」、サートマー社製の“Ｅｓａｃｕｒｅ（ＫＩＰ１００Ｆ，ＫＢ１，ＥＢ３，ＢＰ，Ｘ３３，ＫＴ０４６，ＫＴ３７，ＫＩＰ１５０，ＴＺＴ）”などが挙げられる。前記市販の光ラジカル重合開始剤は、１種単独で使用してもよく、２種類以上を併用してもよい。
【００５８】
前記光重合開始剤の含有量としては、特に制限はなく、目的に応じて適宜選択することができるが、多官能モノマー１００質量部に対して、０．１〜１５質量部が好ましく、１〜１０質量部がより好ましい。
【００５９】
−−面状改良剤−−
支持体上のいずれかの層を作製するのに用いる塗布液には、面状故障（塗布ムラ、乾燥ムラ、点欠陥など）を改良するために、フッ素系及びシリコーン系の少なくともいずれかの面状改良剤を添加することが好ましい。
【００６０】
−−塗布溶媒−−
各層を形成するための塗布組成物に用いられる溶媒としては、各成分を溶解又は分散可能であること、塗布工程、乾燥工程において均一な面状となり易いこと、液保存性が確保できること、適度な飽和蒸気圧を有すること等の観点で選ばれる各種の溶媒が使用できる。
【００６１】
溶媒は２種類以上のものを混合して用いることができる。特に、乾燥負荷の観点から、常圧室温における沸点が１００℃以下の溶媒を主成分とし、乾燥速度の調整のために沸点が１００℃以上の溶媒を少量含有することが好ましい。
【００６２】
沸点が１００℃以下の溶媒としては、例えば、ヘキサン（沸点６８．７℃）、ヘプタン（９８．４℃）、シクロヘキサン（８０．７℃）、ベンゼン（８０．１℃）などの炭化水素類；ジクロロメタン（３９．８℃）、クロロホルム（６１．２℃）、四塩化炭素（７６．８℃）、１，２−ジクロロエタン（８３．５℃）、トリクロロエチレン（８７．２℃）などのハロゲン化炭化水素類；ジエチルエーテル（３４．６℃）、ジイソプロピルエーテル（６８．５℃）、ジプロピルエーテル  （９０．５℃）、テトラヒドロフラン（６６℃）などのエーテル類；ギ酸エチル（５４．２℃）、酢酸メチル（５７．８℃）、酢酸エチル（７７．１℃）、酢酸イソプロピル（８９℃）などのエステル類；アセトン（５６．１℃）、２−ブタノン（メチルエチルケトンと同じ、７９．６℃）などのケトン類；メタノール（６４．５℃）、エタノール（７８．３℃）、２−プロパノール（８２．４℃）、１−プロパノール（９７．２℃）などのアルコール類；アセトニトリル（８１．６℃）、プロピオニトリル（９７．４℃）などのシアノ化合物類；二硫化炭素（４６．２℃）などがある。このうちケトン類、エステル類が好ましく、特に好ましくはケトン類である。ケトン類の中では２−ブタノンが特に好ましい。
【００６３】
沸点が１００℃を以上の溶媒としては、例えば、オクタン（１２５．７℃）、トルエン（１１０．６℃）、キシレン（１３８℃）、テトラクロロエチレン（１２１．２℃）、クロロベンゼン（１３１．７℃）、ジオキサン（１０１．３℃）、ジブチルエーテル（１４２．４℃）、酢酸イソブチル（１１８℃）、シクロヘキサノン（１５５．７℃）、２−メチル−４−ペンタノン（ＭＩＢＫと同じ、１１５．９℃）、１−ブタノール（１１７．７℃）、Ｎ，Ｎ−ジメチルホルムアミド（１５３℃）、Ｎ，Ｎ−ジメチルアセトアミド（１６６℃）、ジメチルスルホキシド（１８９℃）などがある。好ましくは、シクロヘキサノン、２−メチル−４−ペンタノンである。
【００６４】
前記光散乱層の厚みとしては、適度な散乱性を実現でき、かつフィルムとしての製品適性を保持する範囲である限り、特に制限はなく、目的に応じて適宜選択することができる。即ち、層厚が薄すぎると散乱性が少なく、満足な視覚改良効果を得られないが、層厚が厚すぎると著しくカールの発生を伴う場合がある。したがって、前記光散乱層の厚みとしては、３μｍ〜１５μｍが好ましく、４μｍ〜１２μｍが更に好ましく、５μｍ〜１０μｍが特に好ましい。
【００６５】
前記光散乱フィルムは、必要性に応じて、フィルム表面に凹凸形状をつけることで防眩性を付与することも可能である。画像の鮮明性を維持する目的で、クリアな表面を得るためには、表面粗さを示す特性のうち、例えば中心線平均粗さ（Ｒａ）を０．０８μｍ以下とすることが好ましい。Ｒａとしては、０．０７μｍ以下がより好ましく、０．０６μｍ以下が更に好ましい。
【００６６】
前記光散乱層の形成方法としては、前記（１）式を満たす限り、特に制限はなく、公知の塗布方法により形成することができ、例えば、ディップコート法、エアーナイフコート法、カーテンコート法、ローラーコート法、ワイヤーバーコート法、グラビアコート法やエクストルージョンコート法（ダイコート法）（米国特許２６８１２９４号明細書参照）、マイクログラビアコート法などが挙げられる。中でも、マイクログラビアコート法、ダイコート法が好ましい。
【００６７】
前記マイクログラビアコート法とは、直径が約１０〜１００ｍｍ、好ましくは約２０〜５０ｍｍで全周にグラビアパターンが刻印されたグラビアロールを支持体の下方に、かつ支持体の搬送方向に対してグラビアロールを逆回転させると共に、該グラビアロールの表面からドクターブレードによって余剰の塗布液を掻き落として、定量の塗布液を前記支持体の上面が自由状態にある位置におけるその支持体の下面に塗布液を転写させて塗工することを特徴とするコート法である。ロール形態の透明支持体を連続的に巻き出し、該巻き出された支持体の一方の側に、光散乱層をマイクログラビアコート法によって塗工することができる。
【００６８】
前記マイクログラビアコート法による塗工条件としては、グラビアロールに刻印されたグラビアパターンの線数は５０〜８００本／インチが好ましく、１００〜３００本／インチがより好ましく、グラビアパターンの深度は１〜６００μｍが好ましく、５〜２００μｍがより好ましく、グラビアロールの回転数は３〜８００ｒｐｍであることが好ましく、５〜２００ｒｐｍであることがより好ましく、支持体の搬送速度は０．５〜１００ｍ／分であることが好ましく、１〜５０ｍ／分がより好ましい。
【００６９】
−支持体−
前記光散乱フィルムの支持体としては、特に制限はなく、目的に応じて適宜選択することができ、例えば、透明樹脂フィルム、透明樹脂板、透明樹脂シートや透明ガラスなどが挙げられる。
前記透明樹脂フィルムとしては、例えば、セルロースアシレートフィルム（例えば、セルローストリアセテートフィルム（屈折率１．４８）、セルロースジアセテートフィルム、セルロースアセテートブチレートフィルム、セルロースアセテートプロピオネートフィルム）、ポリエチレンテレフタレートフィルム、ポリエーテルスルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、（メタ）アクリルニトリルフィルムポリオレフィン、脂環式構造を有するポリマー［ノルボルネン系樹脂｛「アートン」（商品名）、ＪＳＲ（株）製｝、非晶質ポリオレフィン｛「ゼオネックス」（商品名）、日本ゼオン（株）製｝］などが挙げられる。中でも、トリアセチルセルロース、ポリエチレンテレフタレート、脂環式構造を有するポリマーが好ましく、トリアセチルセルロースが特に好ましい。
【００７０】
前記支持体の厚みとしては、特に制限はなく、目的に応じて適宜選択することができるが、通常２５μｍ〜１０００μｍ程度であり、２５μｍ〜２５０μｍが好ましく、３０μｍ〜９０μｍがより好ましい。
前記支持体の幅としては、特に制限はなく、目的に応じて適宜選択することができるが、ハンドリング、得率、生産性の点から、通常は１００〜５０００ｍｍであり、８００〜３０００ｍｍが好ましく、１０００〜２０００ｍｍがより好ましい。前記支持体はロール形態の長尺で取り扱うことができ、通常１００ｍ〜５０００ｍであり、５００ｍ〜３０００ｍが好ましい。
【００７１】
前記支持体の表面は平滑であることが好ましい。前記支持体の平均粗さＲａとしては、１μｍ以下が好ましく、０．０００１〜０．５μｍが好ましく、０．００１〜０．１μｍが更に好ましい。
【００７２】
−光散乱フィルムにおけるその他の層−
前記光散乱フィルムは、前記光散乱層及び前記支持体に加えて、目的に応じて必要な機能層を設けることもできる。
以下、前記光散乱フィルムに付加することのできる構成層について説明する。
【００７３】
好ましい一つの態様としては、光散乱層を有する支持体上に光学干渉によって反射率が減少するように、屈折率、膜厚、層の数、層順等を考慮して積層された反射防止層を挙げることができる。なお、本明細書で反射防止層とは、高屈折率層、中屈折率層、低屈折率層を総称した呼称である。
【００７４】
反射防止層は、最も単純な構成では、光散乱層を有する支持体上に低屈折率層のみを塗設した構成である。更に反射率を低下させるには、反射防止層を、光散乱層よりも屈折率の高い高屈折率層と、光散乱層よりも屈折率の低い低屈折率層を組み合わせて構成することが好ましい。構成例としては、支持体側から光散乱層／高屈折率層／低屈折率層の２層のものや、屈折率の異なる３層を、中屈折率層（支持体、光散乱層又はハードコート層よりも屈折率が高く、高屈折率層よりも屈折率の低い層）／高屈折率層／低屈折率層の順に積層されているもの等があり、更に多くの層を積層するものも提案されている。中でも、耐久性、光学特性、コストや生産性等から、ハードコート層及び光散乱層を有する支持体上に、中屈折率層／高屈折率層／低屈折率層の順に反射防止層を塗布することが好ましく、例えば、特開平８−１２２５０４号公報、同８−１１０４０１号公報、同１０−３００９０２号公報、特開２００２−２４３９０６号公報、特開２０００−１１１７０６号公報等に記載の構成が挙げられる。
【００７５】
また、各層に他の機能を付与させてもよく、例えば、防汚性の低屈折率層、帯電防止性の高屈折率層としたもの（例えば、特開平１０−２０６６０３号公報、特開２００２−２４３９０６号公報等）等が挙げられる。
【００７６】
前記反射防止層を有する光散乱フィルム（以下、反射防止性光散乱フィルムともいう）の、好ましい層構成の例を下記に示す。前記反射防止性光散乱フィルムは、光学干渉により反射率を低減できるものであれば、特にこれらの層構成のみに限定されるものではない。この構成において、光散乱層に防眩性の機能を持たせることも可能である。
【００７７】
・支持体フィルム／光散乱層／低屈折率層
・支持体フィルム／光散乱層／帯電防止層／低屈折率層
・支持体フィルム／ハードコート層／光散乱層／低屈折率層
・支持体フィルム／ハードコート層／光散乱層／帯電防止層／低屈折率層
・支持体フィルム／ハードコート層／帯電防止層／光散乱層／低屈折率層
・支持体フィルム／光散乱層／高屈折率層／低屈折率層
・支持体フィルム／光散乱層／帯電防止層／高屈折率層／低屈折率層
・支持体フィルム／光散乱層／中屈折率層／高屈折率層／低屈折率層
・支持体フィルム／光散乱層／高屈折率層／低屈折率層
・帯電防止層／支持体フィルム／光散乱層／中屈折率層／高屈折率層／低屈折率層
・支持体フィルム／帯電防止層／光散乱層／中屈折率層／高屈折率層／低屈折率層
・帯電防止層／支持体フィルム／光散乱層／中屈折率層／高屈折率層／低屈折率層
・帯電防止層／支持体フィルム／光散乱層／高屈折率層／低屈折率層／高屈折率層／低屈折率層
【００７８】
また、別の態様として、光学干渉を積極的には用いずに、ハードコート性、防湿性、ガスバリア性、防眩性、防汚性付与などの目的のために必要な層を設けた光散乱フィルムも好ましい。
【００７９】
上記態様のフィルムの好ましい層構成の例を下記に示す。
・支持体フィルム／光散乱層／ハードコート層
・支持体フィルム／光散乱層
・支持体フィルム／光散乱層／防眩層
・支持体フィルム／ハードコート層／光散乱層
・支持体フィルム／光散乱層／ハードコート層
・支持体フィルム／帯電防止層／光散乱層
・支持体フィルム／防湿層／光散乱層
・支持体フィルム／ガスバリア層／光散乱層
・支持体フィルム／光散乱層／防汚層
・帯電防止層／支持体フィルム／光散乱層
・光散乱層／支持体フィルム／帯電防止層
【００８０】
これらの層は、蒸着、大気圧プラズマ、塗布などの方法により形成することができる。生産性の観点からは、塗布により形成することが好ましい。
【００８１】
前記光散乱フィルムは、少なくとも青色光を散乱することができるので、前記カラーフィルターにおいて蛍光により発光した赤色光及び緑色光と、指向性を同程度にすることができる。したがって、前記光散乱フィルムを本発明の液晶表示装置に適用することで、表示画像を斜めから見たときに黄色味に色づく問題を解消し、視野角色表示特性を向上することができる。
【００８２】
＜液晶表示装置の構成例＞
以下に、前記液晶表示装置の構成例を示すが、本発明の液晶表示装置はこれらに限定されるものではない。
なお、図１〜３において、図面上では各構成要素の間隔が離れているが、実際には、粘着剤などを用いて密着させている。
【００８３】
−構成例１−
図１は、構成例１の液晶表示装置の断面模式図である。
図１に示す液晶表示装置１００は、バックライトユニット１と、バックライト側偏光板２と、液晶セル３と、視認側偏光板４と、カラーフィルター５と、光散乱フィルム６とが、この順に配されてなる。
【００８４】
バックライトユニット１は、反射シート１１、青色光源１２、反射板１３、導光板１４、第１拡散シート１５、プリズムシート１６及び第２拡散シート１７からなる。バックライト装置１とバックライト側偏光板２との間に、拡散板や輝度向上フイルムを配置してもよい。
バックライト側偏光板２は、バックライト側第２透明保護フィルム２１、バックライト側偏光子２２及びバックライト側第１透明保護フィルム２３からなる。
液晶セル３は、バックライト側ガラス基板３１、バックライト側透明電極３２及びバックライト側配向膜３３、液晶層３４、視認側配向膜３５、視認側透明電極３６及び視認側ガラス基板３７からなる。
視認側偏向板４は、視認側第１透明保護フィルム４１、視認側偏光子４２及び視認側第２透明保護フィルム４３からなる。
カラーフィルター５は、青色発色層５１、緑色発色層５２、赤色発色層５３及びブラックマトリクス５４からなる。
光散乱フィルム６は、ベースフィルム６１、光散乱層６２及び低屈折率層６３からなる。
構成例１の液晶表示装置は、カラーフィルター５が、偏光板４と光散乱フィルム６との間に配されていることにより、液晶セル及び偏光板の組み合わせで行われる偏光制御の機能に対し、カラーフィルターによる光散乱の悪影響を及ぼすことがなく、かつ、光がカラーフィルターを透過することで生じる散乱性の色間差を直後の光散乱フィルムで効率よく補正できる点で有利である。
【００８５】
−構成例２−
図２は、構成例２の液晶表示装置の断面模式図である。
図２に示す液晶表示装置１０１は、バックライトユニット１と、カラーフィルター５と、バックライト側偏光板２と、液晶セル３と、視認側偏光板４と、光散乱フィルム６とが、この順に配されてなる。
視認側偏光板４と光散乱フィルム６との間に、カラーフィルター５が配されていないため、視認側第２透明保護フィルム４３とベースフィルム６１とは、同じ部材により兼用されている。
なお、他の構成については、構成例１で説明したものと同じであるので説明を省略する。
【００８６】
−構成例３−
図３は、構成例３の液晶表示装置の断面模式図である。
図３に示す液晶表示装置１０２は、バックライトユニット１と、バックライト側偏光板２と、カラーフィルター５を内部に含む液晶セル３と、視認側偏光板４と、光散乱フィルム６とが、この順に配されてなる。
液晶セル３において、カラーフィルター５は、視認側透明電極３６と視認側ガラス基板３７との間に配される。
視認側偏光板４と光散乱フィルム６との間に、カラーフィルター５が配されていないため、視認側第２透明保護フィルム４３とベースフィルム６１とは、同じ部材により兼用されている。
なお、他の構成については、構成例１で説明したものと同じであるので説明を省略する。
【実施例】
【００８７】
以下、本発明の実施例について説明するが、本発明は下記実施例に何ら限定されるものではない。
【００８８】
（実施例１）
＜構成例１の液晶表示装置の製造＞
図１に示す構成例１の液晶表示装置１００を、下記手順により製造した。
【００８９】
−バックライトユニットの作製−
図４Ａは、導光板の横断面図であり、図４Ｂは、導光板の縦断面図である。
図４Ａ及び図４Ｂに示すように、青色発光ダイオード（光源）１２を、ポリカーボネート製の楔形導光板（導光板）１４の端面に配置した。スレンレス製の光源カバー（反射板）１３を、光源を覆うようにセットした。底面側（視認側の反対面）から順に、白色ＰＥＴ製の反射シート（反射シート）１１、光源及び反射板を装着した導光板（導光板）１４、拡散シート（第１拡散シート）１５、プリズムシート１６、拡散シート（第２拡散シート）１７を順に積層し、固定することにより、バックライトユニット１を作製した。
【００９０】
−偏光板の作製−
バックライト側偏光板２及び視認側偏光板４は同一のものを使用した。バックライト側第２透明保護フィルム２１及び視認側第２透明保護フィルム４３としては、市販のＴＡＣフィルムＴＤ８０（富士フイルム（株）製）を使用した。
バックライト側偏光子２２、視認側偏光子４２は、延伸したポリビニルアルコールフィルムに、ヨウ素を吸着して膜状の偏光子を作製し、バックライト側偏光子２２及び視認側偏光子４２として用いた。
バックライト側第１透明保護フィルム２３及び視認側第１透明保護フィルム４１としては、市販のＴＮ液晶セル用の視野角補償フィルムＷＶ−ＥＡ（富士フイルム（株）製）を使用した。同品は、セルロースアセテートフィルムに光学異方層を塗接したものである。
バックライト側第２透明保護フィルム２１、バックライト側偏光子２２及びバックライト側第１透明保護フィルム２３を、ポリビニルアルコール系接着剤を用いて貼合し、偏光板２を作製した。バックライト側第１透明保護フィルム２３は、塗設した光学異方層側を外面になるように、配置した。同様に、視認側第２透明保護フィルム４３、視認側偏光子４２及び視認側第１透明保護フィルム４１から偏光板４を作製した。
【００９１】
−液晶セルの作製−
ＩＴＯ電極３２，３６付きのガラス基板３１，３７に、ポリイミド膜を配向膜３３，３５として設け、それぞれの配向膜にラビング処理を行った。得られた２枚のガラス基板をラビング方向が直行する配置で向かい合わせ、セルギャップを６μｍに設定した。セルギャップに液晶性化合物ＭＬＣ−９１００（メルク社製）を注入して液晶層３４を形成し、ＴＮモードの液晶セル３を作成した。
【００９２】
−カラーフィルターの作製−
青色透過層５１を作製するためのレジスト剤として、紫外線架橋性シリコン樹脂を用意した。
緑色発光層５２を作製するためのレジスト剤として、Ｓｒ２Ｓｉ５Ｎ８：Ｅｕ２＋を紫外線架橋性シリコン樹脂に３５ｗｔ％分散させたものを用意した。
赤色発光層５３を作製するためのレジスト剤として、ＣａＳｉＮ２：Ｅｕ２＋を紫外線架橋性シリコン樹脂に３５ｗｔ％分散させたものを用意した。
ブラックマトリクス５４を作製するためのレジスト剤として、カーボンブラックを紫外線架橋性シリコン樹脂に３５ｗｔ％分散させたものを用意した。
視認側偏光板４を基材として、視認側第２透明保護フィルム４３面上に、フォトレジストプロセスにより各レジスト剤を用いて、カラーフィルター５を形成した。
具体的には、液晶セルの青色表示画素対応する領域に青色透過層５１を形成し、液晶セルの緑色表示画素に対応する領域に緑色発光層５２を形成し、液晶セルの赤色表示画素に対応する領域に赤色発光層５３を形成し、各色間の境界にブラックマトリクス５４を形成した。
【００９３】
−光散乱フィルムの作製−
光散乱フィルム６は、ベースフィルム６１上に、光散乱層６２及び低屈折率層６３を順次塗設、形成することで作製した。
ベースフィルム６１としては、市販のＴＡＣフィルムＴＤ−８０Ｕ（富士フイルム製）を使用した。
光散乱層６２は、ベースフィルム６１の面上に、乾燥膜厚５．０μｍとなるように下記組成の光散乱層用塗布液１を塗工、溶媒乾燥後、１６０Ｗ／ｃｍの空冷メタルハライドランプ（アイグラフィックス製）を用いて、照度１．５ｋＷ／ｃｍ２、照射量９５ｍＪ／ｃｍ２の紫外線を照射して硬化させ、光散乱層６２を形成した。
【００９４】
［光散乱層用塗布液１］
光散乱層を構成する透光性樹脂として、ジペンタエリスリトールヘキサアクリレート｛日本化薬（株）製｝を１００質量部、透光性粒子としてメラミン樹脂粒子「オプトビーズ２０００Ｍ」を９質量部、及び重合開始剤「イルガキュア１８４」６質量部を混合してメチルエチルケトン／メチルイソブチルケトン（３０／７０質量比）により固形分５０質量％になるように調製した。
【００９５】
低屈折率層６３は、ベースフィルム６１の上に光散乱層６２を塗設・形成した面上に、下記組成の低屈折率層用塗布液を、乾燥膜厚０．１μｍとなるように塗工、溶媒乾燥後、１６０Ｗ／ｃｍの空冷メタルハライドランプ（アイグラフィックス製）を用いて、照度１．５ｋＷ／ｃｍ２、照射量９５ｍＪ／ｃｍ２の紫外線を照射して硬化させ、低屈折率層６３を形成した。
【００９６】
−低屈折率層用塗布液の調製―
−−ゾル液ａの調製−−
攪拌機、還流冷却器を備えた反応器に、メチルエチルケトン１２０部、アクリロイルオキシプロピルトリメトキシシラン“ＫＢＭ−５１０３”｛信越化学工業（株）製｝１００部、ジイソプロポキシアルミニウムエチルアセトアセテート３部を加え混合したのち、イオン交換水３０部を加え、６０℃で４時間反応させたのち、室温まで冷却し、ゾル液ａを得た。質量平均分子量は１６００であり、オリゴマー成分以上の成分のうち、分子量が１０００〜２００００の成分は１００％であった。また、ガスクロマトグラフィー分析から、原料のアクリロイルオキシプロピルトリメトキシシランは全く残存していなかった。
【００９７】
−−分散液Ａの調製−−
中空シリカ微粒子ゾル（イソプロピルアルコールシリカゾル、平均粒子径６０ｎｍ、シェル厚み１０ｎｍ、シリカ濃度２０質量％、シリカ粒子の屈折率１．３１、特開２００２−７９６１６号公報の調製例４に準じ、サイズを変更して作製）５００質量部に、“ＫＢＭ−５１０３”（信越化学工業（株）製）３０質量部、及びジイソプロポキシアルミニウムエチルアセテート１．５質量部を加え混合した後に、イオン交換水９質量部を加えた。６０℃で８時間反応させた後に室温まで冷却し、アセチルアセトン１．８質量部を添加した。この分散液５００質量部に、ほぼシリカの含量が一定となるようにシクロヘキサノンを添加しながら、減圧蒸留による溶媒置換を行った。分散液に異物の発生はなく、固形分濃度をシクロヘキサノンで調整し２０質量％にした。このようにして分散液Ａを調製した。
【００９８】
エチレン性不飽和基含有含フッ素ポリマー｛特開２００５−８９５３６公報製造例３に記載のフッ素ポリマー（Ａ−１）｝固形分として４５．０質量部を、メチルイソブチルケトン５００質量部に溶解し、更に、分散液Ａを１９５質量部（シリカ＋表面処理剤固形分として３９．０質量部）、コロイダルシリカ分散物｛シリカ、“ＭＥＫ−ＳＴ”の粒子径違い品、平均粒径４５ｎｍ、固形分濃度３０質量％、日産化学（株）製｝３０．０質量部（固形分として９．０質量部）、ゾル液ａ  １７．０質量部（固形分として５．０質量部）、光重合開始剤“ＰＭ９８０Ｍ”｛和光純薬（株）製｝２．０質量部を添加した。塗布液全体の固形分濃度が６質量％になるようにメチルエチルケトンで希釈して、低屈折率用塗布液を調製した。
なお、実施例１において、前記光散乱層用塗布液１を用いて作製した光散乱フィルム６を、光散乱フィルムＨＳＦ−１と称する。
【００９９】
−−光散乱フィルムの透過率Ｔの測定−
上記光散乱フィルム（ＨＳＦ−１）の、波長４３５ｎｍ、５４５ｎｍにおける光透過率Ｔ４３５、Ｔ５４５を、ＵＶ−可視分光光度計“ＵＶ−３１５０”｛（株）島津製作所製｝により、測定した。結果を表１に示す。
【０１００】
【表１】
2009244383.tif 000003
【０１０１】
そして、前記バックライトユニット１、前記バックライト側偏光板２、前記液晶セル３、前記視認側偏光板４、前記カラーフィルター５及び前記光散乱フィルム６を、粘着剤を用いて、図１に示す順番に密着させ、実施例１の液晶表示装置を製造した。
【０１０２】
（実施例２）
実施例１において、光散乱層用塗布液１に代えて下記組成の光散乱層用塗布液２を塗布することにより、光散乱フィルム（ＨＳＦ−１）に代えて光散乱フィルム（ＨＳＦ−２）を形成したこと以外は、実施例１と同様にして、実施例２の液晶表示装置を製造した。
また、光散乱フィルム（ＨＳＦ−２）の光透過率を、光散乱フィルム（ＨＳＦ−１）を測定した方法と同様の方法により測定した。結果を表１に示す。
【０１０３】
［光散乱層用塗布液２］
光散乱層を構成する透光性樹脂として、ペンタエリスリトールテトラアクリレートを１００質量部、透光性粒子としてメラミン樹脂粒子「オプトビーズ２０００Ｍ」を９質量部、及び重合開始剤「イルガキュア１８４」６質量部を混合してメチルエチルケトン／メチルイソブチルケトン（３０／７０質量比）により固形分５０質量％になるように調製した。
【０１０４】
（実施例３）
実施例１において、光散乱層用塗布液１に代えて下記組成の光散乱層用塗布液３を塗布することにより、光散乱フィルム（ＨＳＦ−１）に代えて光散乱フィルム（ＨＳＦ−３）を形成した以外は、実施例１と同様にして、実施例３の液晶表示装置を製造した。
また、光散乱フィルム（ＨＳＦ−３）の光透過率を、光散乱フィルム（ＨＳＦ−１）を測定した方法と同様の方法により測定した。結果を表１に示す。
【０１０５】
［光散乱層用塗布液３］
光散乱層を構成する透光性樹脂として、ジペンタエリスリトールペンタアクリレートとジペンタエリスリトールヘキサアクリレートの混合物｛ＤＰＨＡ，日本化薬（株）製｝を３０質量部、及びジルコニア超微粒子含有ハードコート組成液｛ＪＳＲ（株）製｝を９６質量部、透光性粒子としてアクリル系（ＰＭＭＡ系）架橋微粒子ＭＸＳ３００｛綜研化学（株）、架橋剤量５質量％、粒子径３．１１μｍ｝を４質量部、及びシリカ微粒子ＫＥＰ１５０｛日本触媒（株）、粒子径１．５６μｍ｝を８質量部、シランカップリング剤｛ＫＢＭ−５１０３、信越化学工業（株）製｝を１０質量部を混合し、メチルエチルケトン／メチルイソブチルケトン（３０／７０質量比）により固形分５０質量％になるように調製した。
【０１０６】
（実施例４）
図２に示す構成例２の液晶表示装置１０１を、下記手順により製造した。
実施例１において、視認側偏光板４を基材として、視認側第２透明保護フィルム４３面上にカラーフィルター層を形成したことに代えて、バックライト側偏光板２を基材として、バックライト側第２透明保護フィルム２１面状にカラーフィルター層を形成したこと以外は、実施例１と同様にして、実施例４の液晶表示装置を製造した。
なお、実施例４においては、前記バックライトユニット１、前記バックライト側偏光板２、前記液晶セル３、前記視認側偏光板４、前記カラーフィルター５及び前記光散乱フィルム６を、粘着剤を用いて、図２に示す順番に密着させている。
【０１０７】
（実施例５）
図３に示す構成例３の液晶表示装置１０２を、下記手順により製造した。
実施例１において、視認側偏光板４を基材として、視認側第２透明保護フィルム４３面上にカラーフィルター層を形成することに代えて、視認側ガラス基板３７を基材として同液晶層側面にカラーフィルター層を形成したこと以外は、実施例１と同様にして、実施例５の液晶表示装置を製造した。
なお、実施例５においては、前記バックライトユニット１、前記バックライト側偏光板２、前記液晶セル３、前記視認側偏光板４、前記カラーフィルター５及び前記光散乱フィルム６を、粘着剤を用いて、図３に示す順番に密着させている。
【０１０８】
（比較例１）
実施例１において、光散乱フィルム（ＨＳＦ−１）に代えて市販のＴＡＣフィルムＴＤ−８０Ｕ（富士フイルム製）を使用したこと以外は、実施例１と同様にして、比較例１の液晶表示装置を製造した。
【０１０９】
［表示性能の計測評価］
実施例１〜５及び比較例１の液晶表示装置について、５５Ｈｚの矩形波電圧を印加し、黒表示５Ｖのノーマリーホワイトモードとして、白表示、黒表示、青表示、緑表示、赤表次の５種の画像を表示した。それぞれの表示について、測定機“ＥＺ−Ｃｏｎｔｒａｓｔ  １  ６０Ｄ”｛ＥＬＤＩＭ（株）製｝を用いて輝度の測定を行った。正面における白表示の輝度と黒表示の輝度の比を、正面コントラスト「ＣＲ」とした。また、青表示、緑表示、赤表示のそれぞれについて、正面の輝度に対しての水平右方向で鉛直（正面）から６０°方向の斜め視野の輝度比を計算し、視野角輝度比「Ｒ６０」とした。更にＲ６０（青）、Ｒ６０（緑）、Ｒ６０（赤）の３者の内の最大値／最小値の差をＲ６０（緑）で除したものを「色間差Δ」とした。結果を表２に示す。
［表示性能の目視評価］
上記の白表示について、水平右方向で鉛直（正面）から６０°方向の斜め視野から観察し表示画像の色味の見えを目視で評価して以下の基準で評定した。結果を表２に示す。
◎：白色に見える。
○：僅かに黄色味を帯びた白色に見える。
△：黄色味を帯びた白色に見える。
×：著しく黄色着色を認める。
【０１１０】
【表２】
2009244383.tif 000004
【０１１１】
光散乱フィルムを用いない比較例１の構成では、斜め視野での色間差が大きく、が小さいため、白表示をしたときの斜め視野での黄色味が著しい。一方、光散乱フィルムを使用した実施例１から実施例５の構成では、色間差が縮小してＲ６０（青）がＲ６０（緑）及びＲ６０（赤）の２者に近づくとともに、斜め視野での黄色味が改善される。
【符号の説明】
【０１１２】
１      バックライトユニット
２      バックライト側偏光板
３      液晶セル
４      視認側偏光板
５      カラーフィルター
６      光散乱フィルム
１１    反射シート
１２    光源
１３    反射板
１４    導光板
１５    第１拡散シート
１６    プリズムシート
１７    第２拡散シート
２１    バックライト側第２透明保護フィルム
２２    バックライト側偏光子
２３    バックライト側第１透明保護フィルム
３１    バックライト側ガラス基板
３２    バックライト側透明電極
３３    バックライト側配向膜
３４    液晶層
３５    視認側配向膜
３６    視認側透明電極
３７    視認側ガラス基板
４１    視認側第１透明保護フィルム
４２    視認側偏光子
４３    視認側第２透明保護フィルム
５１    青色透過層
５２    緑色発光層
５３    赤色発光層
５４    ブラックマトリクス
６１    ベースフィルム
６２    光散乱層
６３    低屈折率層
１００，１０１，１０２    液晶表示装置
【図面の簡単な説明】
【０１１３】
【図１】図１は、構成例１の液晶表示装置の縦断面図である。
【図２】図２は、構成例２の液晶表示装置の縦断面図である。
【図３】図３は、構成例３の液晶表示装置の縦断面図である。
【図４Ａ】図４Ａは、導光板の横断面図である。
【図４Ｂ】図４Ｂは、導光板の縦断面図である。
【図１】
2009244383.tif 000005
【図２】
2009244383.tif 000006
【図３】
2009244383.tif 000007
【図４Ａ】
2009244383.tif 000008
【図４Ｂ】
2009244383.tif 000009